(57)【要約】【課題】  簡易な構成かつ容易な操作で確実に衣服等を椅子の背もたれに係止できる衣服等の係止手段を提供する。【解決手段】  上端にハンガー２１を固定した係止部１１を構成し、下端には弾力性のある支持部１３を構成した基板１２を構成し、この支持部１３の先端に椅子の背もたれ９０に当接する当接部１４を構成すると共に、両端に椅子の背もたれ９０の上端に取り付けるための固定部１９を構成した固定板１５を構成し、上記基板１２に固定板１５を交差して取り付けた。【選択図】図２
2005205095.tif 000002
【特許請求の範囲】
【請求項１】
上端に衣服等の係止部を構成し、かつ下端には弾力性を有する支持部を構成した基板を構成し、この支持部の先端に椅子の背もたれに当接する当接部を構成すると共に、
両端に椅子の背もたれの上端に取り付けるための固定部を構成した弾力性を有する固定板を構成し、
上記基板に固定板を交差して取り付けた衣服等の係止手段。
【請求項２】
上記衣服の係止部に、ハンガーを固定したことを特徴とする請求項１記載の衣服等の係止手段。
【請求項３】
上記衣服の係止部に、ハンガーの取付部を構成し、このハンガーの取付部にハンガーを着脱自在に取り付けたことを特徴とする請求項１記載の衣服等の係止手段。
【請求項４】
上記ハンガーの取付部を、係止部の端部に略逆Ｕ字形状のハンガーの可動保持板を蝶番によって回動可能に取り付けた構成としたことを特徴とする請求項３記載の衣服等の係止手段。
【請求項５】
上記固定板の下方に、補助板を固定したことを特徴とする請求項１又は請求項２又は請求項３記載の衣服等の係止手段。
【発明の詳細な説明】
【技術分野】
【０００１】
本発明は、上端に衣服あるいはその他の小物類を係止できる衣服等の係止手段に関するものである。
【背景技術】
【０００２】
従来より、スーツなどを掛けるために椅子の背もたれにハンガーを取り付ける発明が提案されていた。
例えば，特開平８−１５００４３号に記載された椅子用衣服掛けは、衣服掛けを椅子の背もたれ又は支柱にネジで固定して装着するものである。
また、特開平９−２０６１６９号に記載された椅子取付用ハンガーは背もたれの背面に複雑な構成のハンガー取付部を備えたものであった。
【特許文献１】特開平８−１５００４３号
【特許文献２】特開平９−２０６１６９号
【０００３】
上記従来の椅子用衣服掛け又は椅子取付用ハンガーは、ハンガーを背もたれに取り付けるための構造が椅子の背もたれに差し込むもの等、複雑な構成が採用されていたため、背もたれへの取り付けあるいは取り外しも簡単には行えないため実用的でないという問題点があった。
【発明の開示】
【発明が解決しようとする課題】
【０００４】
本発明は上記の点に鑑みなされたものであり、簡易な構成かつ容易な操作で確実に衣服等を椅子の背もたれに係止できる衣服等の係止手段を提供するものである。
【課題を解決するための手段】
【０００５】
本発明の要旨とするところは、上端に衣服等の係止部を構成し、かつ下端には弾力性を有する支持部を構成した基板を構成し、この支持部の先端に椅子の背もたれに当接する当接部を構成すると共に、両端に椅子の背もたれの上端に取り付けるための固定部を構成した弾力性を有する固定板を構成し、上記基板に固定板を交差して取り付けたものである。
【０００６】
また本発明の要旨とするところは、上記衣服の係止部にハンガーを固定したものである。
【０００７】
また本発明の要旨とするところは、上記衣服の係止部に、ハンガーの取付部を構成し、このハンガーの取付部にハンガーを着脱自在に取り付けたものである。
【０００８】
また本発明の要旨とするところは、上記ハンガーの取付部を、係止部の端部に略逆Ｕ字形状のハンガーの可動保持板を蝶番によって回動可能に取り付けた構成としたものである。
【０００９】
また本発明の要旨とするところは、上記固定板の下方に、補助板を固定したものである。
【発明の効果】
【００１０】
本発明は上記の如き構成であるため、背もたれの内側に器具類は存在せず、そのため椅子に腰掛けた際の障害にならない。また、従来の差し込み型等の複雑な構成のハンガーと異なり、椅子の背もたれの上端に取り付ける固定部と背もたれを押し当てる支持部（当接部）の弾力性を有した３点支持という簡易な構成によって衣服等を安定して係止することができる。さらに、背もたれへの着脱が瞬時にできるというメリットもある等、簡易な構成かつ容易な操作で確実に衣服等を椅子の背もたれに係止できる等の効果を奏する。
【発明を実施するための最良の形態】
【００１１】
本発明を実施するための最良の形態は、基板の上端にハンガーを固定しあるいは着脱自在に取り付けることのできる係止部を構成し、下端には弾力性のある支持部を構成し、この支持部の先端に椅子の背もたれに当接する当接部を構成すると共に、両端に椅子の背もたれの上端に取り付けるための固定部を構成した固定板を構成し、上記基板に固定板を交差して取り付けたものである。
【実施例１】
【００１２】
図１は本発明の実施例１を示す斜視図である。
図１において、符号１０は衣服等の係止手段である。この衣服等の係止手段１０は長尺の基板１２に長尺の固定板１５を交差して取り付けた構成である。
【００１３】
上記基板１２は鋼板、プラスチック、木材等の硬質材料あるいは折曲可能で弾力性を有する金属板等からなり、上端に衣服等の係止部１１を構成し、下端には支持部１３を構成してある。
上記係止部１１は基板１２を延長してＬ字状に折曲して構成したものであり、ここには衣服あるいは物品等を直接掛けることができ、また後述のようにハンガーを取り付けることもできる。
上記支持部１３は、基板１２の下部に弾力性のある材質からなる金属板１３ａを基板１２に一体に取り付けて構成してなり、この支持板１３ａの先端に椅子の背もたれに当接する当接部１４を構成している。
ここで弾力性のある材質とは、例えば軟質のステンレスのような折曲可能な薄い金属板をさし、柔軟でバネの働きをする材質であり、使用に際して外部からかかる力を吸収して衣服等の係止手段を安定保持させる働きをする。
また、椅子の背もたれ９０への取り付けの際に、椅子ごとに金属板１３ａを折曲して取付け角度を調節することが容易に行えるため、多様な椅子に対応できるのである。
【００１４】
上記固定板１５は上記支持部１３と同様な弾力性のある材質からなり、両端に椅子の背もたれ９０の上端に取り付けるための固定部１９，１９を構成している。この固定部１９は、固定板１５の先端１５ａに端板１６を立設し、その上端に鉤状の固定具１７を取り付けたものである。
【００１５】
上記のように構成した本実施例の衣服等の係止手段１０を使用するときには、まず椅子の背もたれ９０の上端に固定部１９，１９を掛けて固定する。このとき固定具１７と端板１６および先端１５ａとの間で椅子の背もたれ９０の上端を挟むことによって衣服等の係止手段１０を椅子に固定するのである。
一方、支持部１３を適当に折曲して椅子背もたれ９０の形状等に適合するように長さや湾曲の程度等を調節しながら当接部１４を背もたれ９０の表面に当接させる。
このように衣服等の係止手段１０を椅子に確実に固定した後、上端の係止部１１に衣服あるいは物品等を掛けるのである。
【００１６】
このように本実施例の衣服等の係止手段１０によれば、固定部１９，１９によって椅子の背もたれ９０に取り付けられているため左右方向の移動が防止され、かつ当接部１４が常に背もたれ９０を押しているため前後方向の揺れを吸収できる。
さらに外部からの力等によって衣服等の係止手段１０が動いても、固定板１５と支持部１３の有する弾性力のためにその衝撃等を吸収し、固定部１９、１９は背もたれ９０から外れる恐れはなく、また当接部１４は常に背もたれ９０を押圧した状態に保たれるため、衣服等の係止手段１０は常に安定した状態で背もたれ９０に係止されることになる。
【実施例２】
【００１７】
図２は本発明の実施例２の斜視図及び図３は同使用説明図である。
本実施例の衣服等の係止手段２０は、上記実施例１の衣服等の係止手段１０の上端の係止部１１にハンガー２１を固定したものである。本実施例の構成中、上記実施例１と同一の部分は同一の番号を付して説明を省略する。
【００１８】
上記のように構成した本実施例の衣服等の係止手段２０を使用する時には、上記実施例１と同様に椅子の背もたれ９０の上端に固定部１９，１９を掛けて当接部１４を背もたれ９０の表面に当接させる。その後、上端に固定したハンガー２１に衣服Ａを掛けて使用する。
【００１９】
このように本実施例の衣服等の係止手段２０によれば、椅子の背もたれ９０に確実、かつ安定した状態で係止されるため、ハンガー２１に掛けた衣服Ａも安定した状態で保持される。また、ハンガー２１があるために衣服Ａの型崩れやシワの発生を防止できる。
【実施例３】
【００２０】
図４は本発明の実施例３の斜視図、図５はハンガー取付部の一部切欠き背面図、図６はハンガー取付部の一部切欠き断面側面図及び図７は使用説明図である。
本実施例の衣服等の係止手段３０は、上記実施例１で説明した衣服等の係止手段１０の上端の係止部１１にハンガーの取付部３１を構成して、このハンガーの取付部３１にハンガー４１を着脱自在に取り付けたものである。
また、本実施例は固定板１５の下方の基板１２上に補助板３５を設けている。
本実施例の構成中、上記実施例１または実施例２と同一の部分は同一の番号を付して説明を省略する。
【００２１】
上記ハンガーの取付部３１は図５及び図６に示すように、基板１２の上端の係止部１１の端部に、略逆Ｕ字形状のハンガー４１の可動保持板３３を蝶番３４によって回動可能に取り付ける。この場合可動保持板３３をバネ（図示せず）を用いてハンガー４１に取り付けても良い。そして、上記可動保持板３３と一定間隔を有して、係止部１１上にハンガー４１の固定保持板３６を立設する。符号４０は、上記可動保持板３３と固定保持板３６の間に配設したハンガー４１の支持具である。
使用に際しては、回動保持板３３を下方に回動して、ハンガー４１をハンガーの支持具４０の上に載せて、その後回動保持板３３を上方に回動して図６の状態としてハンガー４１を維持する。これによって、ハンガー４１の取り付け取り外しが容易となる。
【００２２】
また、上記上記ハンガーの取付部３１の他例としては、回動保持板３３を係止部１１の先端に、蝶番を用いずに取り付けて回動できない構成とすることもできる。
【００２３】
上記固定板１５の下方に設けた補助板３５は、図４から明らかなように固定板１５と平行に基板１２上に固定されている。この場合補助板３５は、基板１２上に限らず支持部１３の上に取り付けても良い。
補助板３５は、硬質の材質又は弾力性のある材質からなる下板３６の上に、弾力性を有する金属板からなる上板３８を固定してある。この上板３８は両端を上面、すなわち背もたれ９０側に曲げてなり、その両端部３８ａ，３８ａが椅子の背もたれ９０に当接して弾力性を保って押圧するのである。
【００２４】
上記のように構成した本実施例の衣服等の係止手段３０を使用する時には、上記実施例１と同様に椅子の背もたれ９０の上端に固定部１９，１９を掛けて当接部１４を背もたれ９０の表面に当接させる。
そして、同時に補助板３５に構成した上板３８を適宜曲げて、その両端部３８ａ，３８ａを背もたれ９０に当接させる。その後、上端のハンガーの支持具４０に載置したハンガー４１に衣服を掛けて使用する。
【００２５】
このように本実施例によれば、衣服等の係止手段３０は椅子の背もたれ９０に確実、かつ安定した状態で係止されているため、ハンガー４１に掛けた衣服も安定した状態で保持される。また、ハンガー２１があるために衣服の型崩れ等を防止できる。
さらに本実施例は、上板３８の両端部３８ａ，３８ａによっても支持されるため、衣服保持の安定度が大きくなる。また、ハンガー４１が着脱自在であるため、日常使用している自己のハンガーをそのまま使用することができるというメリットがあると共に、収納時あるいは持ち運ぶとき等にはハンガー４１を外してコンパクトな状態にできるのである。
【００２６】
図８に本実施例の他例を示す。これは、固定板１５の両端に取り付けた固定部１９、１９を、ビス３９によって左右方向に回動可能に取り付け、背もたれ９０の湾曲部部分にも確実に係止できるようにしたものである。これにより固定部１９、１９は、あらゆる形状の背もたれに対しても確実に取り付けることができる。
【００２７】
図９に本実施例の他例を示す。この例では、長尺の金属板を楕円形状に形成して補助板４５を構成する。また支持部４３は、その先端を湾曲して当接部１４を基板１２に当接させた構成である。この構成では補助板４５及び支持部４３共に輪状となっているため、背もたれには弾力性を有した状態で当接し、衣服等の係止手段３０は安定して保持されるのである。
この構成により、補助板４５の構成が簡易になると共に、衣服等の係止手段３０全体の構成がコンパクトとなり、背もたれに装着する場合は勿論のこと、収納あるいは携帯時にも便利である。
【図面の簡単な説明】
【００２８】
【図１】本発明の実施例１の斜視図
【図２】本発明の実施例２の斜視図
【図３】本発明の実施例２の使用説明図
【図４】本発明の実施例３の斜視図
【図５】本発明の実施例３のハンガー取付部の一部切欠き背面図
【図６】本発明の実施例３のハンガー取付部の一部切欠き断面側面図
【図７】本発明の実施例３の使用説明図
【図８】本発明の実施例３の固定部の他例を示す一部切欠き背面図
【図９】本発明の実施例３の他例を示す斜視図
【符号の説明】
【００２９】
１０  衣服等の係止手段
１１  係止部
１２  基板
１３  支持部
１４  当接部
１５  固定板
１５ａ  先端
１６  端板
１７  固定具
１９  固定部
２０  衣服等の係止手段
３０  衣服等の係止手段
３１  ハンガーの取付部
３３  可動保持板
３５  補助板
３６  下板
３８  上板
３８ａ  端部
４０  ハンガーの支持具
４１  ハンガー
９０  椅子の背もたれ
Ａ  衣服
【図１】
2005205095.tif 000003
【図２】
2005205095.tif 000004
【図３】
2005205095.tif 000005
【図４】
2005205095.tif 000006
【図５】
2005205095.tif 000007
【図６】
2005205095.tif 000008
【図７】
2005205095.tif 000009
【図８】
2005205095.tif 000010
【図９】
2005205095.tif 000011